(57)【要約】【課題】複数の表示モードを良好に使い分けることが可能な画像形成装置およびそれに関連する技術を提供する。【解決手段】画像形成装置のタッチパネルにおいて、通常表示モードＭＤ１の表示画面が表示され、その後、操作者によるピンチアウト操作（拡大操作）が受け付けられる（ステップＳ１１）。通常表示モードＭＤ１での表示中に受け付けられたピンチアウト操作が所定の基準を充足する場合（所定の閾値（たとえば、１３０％）より大きな拡大表示倍率での拡大指示がピンチアウト操作によって付与される場合等）には、当該タッチパネルの表示モードが通常表示モードＭＤ１から拡大表示モードＭＤ２に自動的に変更される（ステップＳ１５）。【選択図】図７
2014232474.tif 000002
【特許請求の範囲】
【請求項１】
画像形成装置であって、
第１の表示モードと、前記第１の表示モードの画面とは異なる構成を有する画面であって前記第１の表示モードでの選択肢よりも大きな選択肢を有する画面を表示する第２の表示モードとを選択的に利用することが可能な表示手段と、
操作者による拡大操作を受け付ける入力制御手段と、
前記第１の表示モードでの表示中に受け付けられた前記拡大操作が所定の基準を充足する場合には、前記表示手段の表示モードを前記第１の表示モードから前記第２の表示モードに自動的に変更するモード制御手段と、
を備えることを特徴とする画像形成装置。
【請求項２】
請求項１に記載の画像形成装置において、
前記所定の基準は、所定の閾値より大きな拡大表示倍率での拡大指示が前記拡大操作によって付与されることであることを特徴とする画像形成装置。
【請求項３】
請求項１に記載の画像形成装置において、
前記所定の基準は、所定の閾値より多い回数の拡大指示が前記拡大操作によって付与されることであることを特徴とする画像形成装置。
【請求項４】
請求項１に記載の画像形成装置において、
前記所定の基準は、所定の閾値より多い種類数の画面における拡大指示が前記拡大操作によって付与されることであることを特徴とする画像形成装置。
【請求項５】
請求項１ないし請求項４のいずれかに記載の画像形成装置において、
前記モード制御手段は、前記拡大操作が前記所定の基準を充足する場合には、前記表示手段の表示モードを前記第１の表示モードから前記第２の表示モードに自動的に変更する前に、前記表示手段の表示モードを前記第１の表示モードから前記第２の表示モードに変更する旨の確認画面を表示することを特徴とする画像形成装置。
【請求項６】
請求項１ないし請求項５のいずれかに記載の画像形成装置において、
前記表示モードの自動変更動作を実行するか否かをユーザごとに設定する設定手段、
をさらに備え、
前記モード制御手段は、
前記表示モードの自動変更動作を実行する旨が設定されているユーザがログインしているときには、前記表示手段の表示モードを前記第１の表示モードから前記第２の表示モードに自動的に変更する動作を実行し、
前記表示モードの自動変更動作を実行しない旨が設定されているユーザがログインしているときには、前記表示手段の表示モードを前記第１の表示モードから前記第２の表示モードに自動的に変更する動作を実行しないことを特徴とする画像形成装置。
【請求項７】
請求項１ないし請求項５のいずれかに記載の画像形成装置において、
前記モード制御手段は、
前記表示モードの自動変更動作を実行する旨が設定されている画面においては、前記表示手段の表示モードを前記第１の表示モードから前記第２の表示モードに自動的に変更する動作を実行し、
前記表示モードの自動変更動作を実行しない旨が設定されている画面においては、前記表示手段の表示モードを前記第１の表示モードから前記第２の表示モードに自動的に変更する動作を実行しないことを特徴とする画像形成装置。
【請求項８】
請求項１ないし請求項７のいずれかに記載の画像形成装置において、
前記操作者による前記拡大操作は、前記表示手段におけるピンチアウト操作を含むことを特徴とする画像形成装置。
【請求項９】
請求項１ないし請求項７のいずれかに記載の画像形成装置において、
前記操作者による前記拡大操作は、表示倍率拡大用キーの押下操作を含むことを特徴とする画像形成装置。
【請求項１０】
請求項１ないし請求項９のいずれかに記載の画像形成装置において、
前記第１の表示モードは、通常表示モードであり、
前記第２の表示モードは、拡大表示モードであることを特徴とする画像形成装置。
【請求項１１】
請求項１ないし請求項９のいずれかに記載の画像形成装置において、
前記第１の表示モードは、縮小表示モードであり、
前記第２の表示モードは、通常表示モードであることを特徴とする画像形成装置。
【請求項１２】
画像形成装置に内蔵されたコンピュータに、
ａ）第１の表示モードで前記画像形成装置の表示手段における表示動作を行うステップと、
ｂ）操作者による拡大操作を受け付けるステップと、
ｃ）前記第１の表示モードでの表示中に受け付けられた前記拡大操作が所定の基準を充足する場合には、前記表示手段の表示モードを前記第１の表示モードから第２の表示モードに自動的に変更するステップと、
を実行させるためのプログラムであって、
前記第２の表示モードは、前記第１の表示モードの画面とは異なる構成を有する画面であって前記第１の表示モードでの選択肢よりも大きな選択肢を有する画面を表示するモードであることを特徴とするプログラム。
【請求項１３】
画像形成装置であって、
通常表示モードと、前記通常表示モードの画面とは異なる構成を有する画面であって前記通常表示モードよりも多数の選択肢を有する画面を表示する縮小表示モードとを選択的に利用することが可能な表示手段と、
操作者による縮小操作を受け付ける入力制御手段と、
前記通常表示モードでの表示中に受け付けられた前記縮小操作が所定の基準を充足する場合には、前記表示手段の表示モードを前記通常表示モードから前記縮小表示モードに自動的に変更するモード制御手段と、
を備えることを特徴とする画像形成装置。
【請求項１４】
画像形成装置に内蔵されたコンピュータに、
ａ）通常表示モードで前記画像形成装置の表示手段における表示動作を行うステップと、
ｂ）操作者による縮小操作を受け付けるステップと、
ｃ）前記通常表示モードでの表示中に受け付けられた前記縮小操作が所定の基準を充足する場合には、前記表示手段の表示モードを前記通常表示モードから縮小表示モードに自動的に変更するステップと、
を実行させるためのプログラムであって、
前記縮小表示モードは、前記第通常表示モードの画面とは異なる構成を有する画面であって前記通常表示モードよりも多数の選択肢を有する画面を表示するモードであることを特徴とするプログラム。
【発明の詳細な説明】
【技術分野】
【０００１】
本発明は、ＭＦＰ（マルチ・ファンクション・ペリフェラル（Multi-Functional Peripheral））等の画像形成装置およびそれに関連する技術に関する。
【背景技術】
【０００２】
画像形成装置の中には、通常表示モードとは別に拡大表示モードを有するものが存在する。拡大表示モードにおいては、通常表示モードとは異なる画面であって比較的大きな文字等を用いて構成される画面（設定画面等）が表示され、当該画面を用いた設定操作等が行われる（例えば特許文献１参照）。
【先行技術文献】
【特許文献】
【０００３】
【特許文献１】特開２００６−２０９０１１号公報
【発明の概要】
【発明が解決しようとする課題】
【０００４】
ところで、画像形成装置のユーザの中には、拡大表示モードの存在を知らないユーザも多い。拡大表示モードの存在を知らないユーザは、その他の手法によって文字を拡大表示させることが可能である。たとえば、当該ユーザは、タッチパネル内の各設定画面において拡大操作（ピンチアウト操作等）を行うことによって、文字を拡大表示させることが可能である。
【０００５】
しかしながら、このような拡大操作に基づく拡大表示技術においては、たとえば複数の設定画面において拡大操作をそれぞれ行うことを要する（異なる画面に対しては拡大操作を再び行うことを要する）等、必ずしも十分に高い操作性を得られない。すなわち、拡大表示モードを利用することによれば比較的高い操作性を得られるにもかかわらず、当該拡大表示モードが有効に活用されていない。
【０００６】
そこで、本発明は、複数の表示モードを良好に使い分けることが可能な画像形成装置およびそれに関連する技術を提供することを課題とする。
【課題を解決するための手段】
【０００７】
上記課題を解決すべく、請求項１の発明は、画像形成装置であって、第１の表示モードと、前記第１の表示モードの画面とは異なる構成を有する画面であって前記第１の表示モードでの選択肢よりも大きな選択肢を有する画面を表示する第２の表示モードとを選択的に利用することが可能な表示手段と、操作者による拡大操作を受け付ける入力制御手段と、前記第１の表示モードでの表示中に受け付けられた前記拡大操作が所定の基準を充足する場合には、前記表示手段の表示モードを前記第１の表示モードから前記第２の表示モードに自動的に変更するモード制御手段と、を備えることを特徴とする。
【０００８】
請求項２の発明は、請求項１の発明に係る画像形成装置において、前記所定の基準は、所定の閾値より大きな拡大表示倍率での拡大指示が前記拡大操作によって付与されることであることを特徴とする。
【０００９】
請求項３の発明は、請求項１の発明に係る画像形成装置において、前記所定の基準は、所定の閾値より多い回数の拡大指示が前記拡大操作によって付与されることであることを特徴とする。
【００１０】
請求項４の発明は、請求項１の発明に係る画像形成装置において、前記所定の基準は、所定の閾値より多い種類数の画面における拡大指示が前記拡大操作によって付与されることであることを特徴とする。
【００１１】
請求項５の発明は、請求項１ないし請求項４のいずれかの発明に係る画像形成装置において、前記モード制御手段は、前記拡大操作が前記所定の基準を充足する場合には、前記表示手段の表示モードを前記第１の表示モードから前記第２の表示モードに自動的に変更する前に、前記表示手段の表示モードを前記第１の表示モードから前記第２の表示モードに変更する旨の確認画面を表示することを特徴とする。
【００１２】
請求項６の発明は、請求項１ないし請求項５のいずれかの発明に係る画像形成装置において、前記表示モードの自動変更動作を実行するか否かをユーザごとに設定する設定手段、をさらに備え、前記モード制御手段は、前記表示モードの自動変更動作を実行する旨が設定されているユーザがログインしているときには、前記表示手段の表示モードを前記第１の表示モードから前記第２の表示モードに自動的に変更する動作を実行し、前記表示モードの自動変更動作を実行しない旨が設定されているユーザがログインしているときには、前記表示手段の表示モードを前記第１の表示モードから前記第２の表示モードに自動的に変更する動作を実行しないことを特徴とする。
【００１３】
請求項７の発明は、請求項１ないし請求項５のいずれかの発明に係る画像形成装置において、前記モード制御手段は、前記表示モードの自動変更動作を実行する旨が設定されている画面においては、前記表示手段の表示モードを前記第１の表示モードから前記第２の表示モードに自動的に変更する動作を実行し、前記表示モードの自動変更動作を実行しない旨が設定されている画面においては、前記表示手段の表示モードを前記第１の表示モードから前記第２の表示モードに自動的に変更する動作を実行しないことを特徴とする。
【００１４】
請求項８の発明は、請求項１ないし請求項７のいずれかの発明に係る画像形成装置において、前記操作者による前記拡大操作は、前記表示手段におけるピンチアウト操作を含むことを特徴とする。
【００１５】
請求項９の発明は、請求項１ないし請求項７のいずれかの発明に係る画像形成装置において、前記操作者による前記拡大操作は、表示倍率拡大用キーの押下操作を含むことを特徴とする。
【００１６】
請求項１０の発明は、請求項１ないし請求項９のいずれかの発明に係る画像形成装置において、前記第１の表示モードは、通常表示モードであり、前記第２の表示モードは、拡大表示モードであることを特徴とする。
【００１７】
請求項１１の発明は、請求項１ないし請求項９のいずれかの発明に係る画像形成装置において、前記第１の表示モードは、縮小表示モードであり、前記第２の表示モードは、通常表示モードであることを特徴とする。
【００１８】
請求項１２の発明は、画像形成装置に内蔵されたコンピュータに、ａ）第１の表示モードで前記画像形成装置の表示手段における表示動作を行うステップと、ｂ）操作者による拡大操作を受け付けるステップと、ｃ）前記第１の表示モードでの表示中に受け付けられた前記拡大操作が所定の基準を充足する場合には、前記表示手段の表示モードを前記第１の表示モードから第２の表示モードに自動的に変更するステップと、を実行させるためのプログラムであって、前記第２の表示モードは、前記第１の表示モードの画面とは異なる構成を有する画面であって前記第１の表示モードでの選択肢よりも大きな選択肢を有する画面を表示するモードであることを特徴とする。
【００１９】
請求項１３の発明は、画像形成装置であって、通常表示モードと、前記通常表示モードの画面とは異なる構成を有する画面であって前記通常表示モードよりも多数の選択肢を有する画面を表示する縮小表示モードとを選択的に利用することが可能な表示手段と、操作者による縮小操作を受け付ける入力制御手段と、前記通常表示モードでの表示中に受け付けられた前記縮小操作が所定の基準を充足する場合には、前記表示手段の表示モードを前記通常表示モードから前記縮小表示モードに自動的に変更するモード制御手段と、を備えることを特徴とする。
【００２０】
請求項１４の発明は、画像形成装置に内蔵されたコンピュータに、ａ）通常表示モードで前記画像形成装置の表示手段における表示動作を行うステップと、ｂ）操作者による縮小操作を受け付けるステップと、ｃ）前記通常表示モードでの表示中に受け付けられた前記縮小操作が所定の基準を充足する場合には、前記表示手段の表示モードを前記通常表示モードから縮小表示モードに自動的に変更するステップと、を実行させるためのプログラムであって、前記縮小表示モードは、前記第通常表示モードの画面とは異なる構成を有する画面であって前記通常表示モードよりも多数の選択肢を有する画面を表示するモードであることを特徴とする。
【発明の効果】
【００２１】
請求項１ないし請求項１４に記載の発明によれば、複数の表示モードを良好に使い分けることが可能である。
【００２２】
特に、請求項１０に記載の発明によれば、拡大表示モードを有効に活用することが可能である。
【００２３】
また特に、請求項１３および請求項１４に記載の発明によれば、縮小表示モードを有効に活用することが可能である。
【図面の簡単な説明】
【００２４】
【図１】画像形成装置の外観を示す図である。
【図２】画像形成装置の機能ブロックを示す図である。
【図３】通常表示モードにおける表示画面を示す図である。
【図４】通常表示モードにおける表示画面を示す図である。
【図５】通常表示モードにおける表示画面を示す図である。
【図６】拡大表示モードにおける表示画面を示す図である。
【図７】第１実施形態に係る画像形成装置の動作を示すフローチャートである。
【図８】拡大表示倍率に関する閾値の設定画面を示す図である。
【図９】モード変更の確認画面を示す図である。
【図１０】キー表示個数比率に関する閾値の設定画面を示す図である。
【図１１】変形例に係る設定画面を示す図である。
【図１２】操作回数に関する閾値の設定画面を示す図である。
【図１３】拡大操作直後のスライド移動量の設定画面を示す図である。
【図１４】第２実施形態に係る動作を示すフローチャートである。
【図１５】第３実施形態に係る動作を示すフローチャートである。
【図１６】プレビュー表示画面を示す図である。
【図１７】用紙サイズ設定画面を示す図である。
【図１８】第４実施形態に係る通常表示モードにおける表示画面（宛先指定画面）を示す図である。
【図１９】拡大表示モードにおける３つの宛先指定画面を示す図である。
【図２０】第４実施形態に係るモード遷移を示す図である。
【図２１】第５実施形態に係る拡大表示モードにおける表示画面を示す図である。
【図２２】縮小表示モード（一括設定モード）における設定画面を示す図である。
【図２３】第６実施形態に係るモード遷移を示す図である。
【発明を実施するための形態】
【００２５】
以下、本発明の実施形態を図面に基づいて説明する。
【００２６】
＜１．第１実施形態＞
＜１−１．構成概要＞
図１は、画像形成装置１０の外観を示す図であり、図２は、画像形成装置１０の機能ブロックを示す図である。ここでは、画像形成装置１０として、ＭＦＰ（マルチ・ファンクション・ペリフェラル（Multi-Functional Peripheral））を例示する。
【００２７】
ＭＦＰ１０は、スキャン機能、コピー機能、ファクシミリ機能およびボックス格納機能などを備える装置（複合機とも称する）である。具体的には、ＭＦＰ１０は、図２の機能ブロック図に示すように、画像読取部２、印刷出力部３、通信部４、格納部５、操作部６およびコントローラ９等を備えており、これらの各部を複合的に動作させることによって、各種の機能を実現する。
【００２８】
画像読取部（スキャン部とも称される）２は、ＭＦＰ１０の所定の位置に載置された原稿（スキャン処理の処理対象文書）を光学的に読み取って（すなわちスキャンして）、当該原稿の画像データ（原稿画像なしいスキャン画像とも称する）を生成する処理部である。
【００２９】
印刷出力部３は、印刷対象に関するデータに基づいて紙などの各種の媒体に画像を印刷出力する出力部である。印刷出力部３は、格納部５に格納された電子文書ファイルの印刷出力を行うことも可能である。
【００３０】
通信部４は、公衆回線等を介したファクシミリ通信を行うことが可能な処理部である。さらに、通信部４は、ネットワークＮＷを介したネットワーク通信を行うことも可能である。このネットワーク通信では、たとえば、ＴＣＰ／ＩＰ（Transmission Control Protocol / Internet Protocol）等の各種のプロトコルが利用される。当該ネットワーク通信を利用することによって、ＭＦＰ１０は、所望の相手先との間で各種のデータを授受することが可能である。
【００３１】
格納部５は、ハードディスクドライブ（ＨＤＤ）等の記憶装置で構成される。格納部５は、印刷ジョブに係るデータ等を記憶する。また、格納部５には各種の電子文書ファイルも格納される。
【００３２】
操作部（ユーザインターフェイス部とも称する）６は、ＭＦＰ１０に対する入力を受け付ける操作入力部６ａと、各種情報の表示出力を行う表示部６ｂとを備えている。
【００３３】
このＭＦＰ１０においては、略板状の操作パネル部６ｃ（図１参照）が設けられている。また、操作パネル部６ｃは、その正面側にタッチパネル２５（図１参照）を有している。タッチパネル２５は、液晶表示パネルに圧電センサ等が埋め込まれて構成され、各種情報を表示するとともに操作者からの操作入力を受け付けることが可能である。たとえば、タッチパネル２５においては、メニュー画面（ボタン画像等を含む）が表示される。操作者は、タッチパネル２５内に仮想的に配置されるボタン（ボタン画像で表現されるボタン）を押下することによって、画像形成装置１０の各種動作内容を設定することなどが可能である。タッチパネル２５は、操作入力部６ａの一部としても機能するとともに、表示部６ｂの一部としても機能する。
【００３４】
タッチパネル２５においては、通常表示モードＭＤ１と拡大表示モードＭＤ２（後述）とを含む複数の表示モードが選択的に利用されて、メニュー画面（設定画面）等が表示される。
【００３５】
コントローラ９は、ＭＦＰ１０に内蔵され、ＭＦＰ１０を統括的に制御する制御装置である。コントローラ９は、ＣＰＵおよび各種の半導体メモリ（ＲＡＭおよびＲＯＭ）等を備えるコンピュータシステムとして構成される。コントローラ９は、ＣＰＵにおいて、ＲＯＭ（例えば、ＥＥＰＲＯＭ）内に格納されている所定のソフトウエアプログラム（以下、単にプログラムとも称する）ＰＧ１を実行することによって、各種の処理部を実現する。なお、当該プログラム（詳細にはプログラムモジュール群）ＰＧ１は、ＵＳＢメモリなどの可搬性の記録媒体、あるいはネットワークＮＷ等を介してＭＦＰ１０にインストールされてもよい。
【００３６】
具体的には、図２に示すように、コントローラ９は、プログラムＰＧ１の実行により、入力制御部１１と表示制御部１２とモード制御部１５とを含む各種の処理部を実現する。
【００３７】
表示制御部１２は、表示部６ｂ（タッチパネル２５等）における表示動作を制御する処理部である。表示制御部１２は、タッチパネル２５に各種の情報（後述するプレビュー画像等を含む）を表示する動作等を制御する。
【００３８】
入力制御部１１は、操作入力部６ａ（タッチパネル２５等）に対するユーザからの操作入力（ジェスチャ操作等）の受付動作等を制御する処理部である。
【００３９】
モード制御部１５は、入力制御部１１および表示制御部１２などと協働して、タッチパネル２５における表示モードの変更動作（切換動作）等を制御する処理部である。たとえば、モード制御部１５は、通常表示モードＭＤ１と拡大表示モードＭＤ２とを含む複数の表示モードのいずれかを採用して、設定画面をタッチパネル２５に表示する。
【００４０】
＜１−２．動作＞
この実施形態においては、拡大操作（詳細には、ピンチアウト操作）によって、所定の閾値より大きな拡大表示倍率による拡大指示が付与される場合に、通常表示モードＭＤ１から拡大表示モードＭＤ２へのモード変更が自動的に行われる態様を例示する。
【００４１】
図３および図４は、通常表示モードＭＤ１における表示画面（設定画面）ＧＡ１（ＧＡ１０，ＧＡ１２）を示す図である。図３の初期画面ＧＡ１（ＧＡ１０）において、設定項目選択用のボタンＢＮ１〜ＢＮ７のうちカラー設定ボタンＢＮ２が押下されると、図４に示すような「カラー」設定用のメニュー設定画面（カラー設定画面）ＧＡ１（ＧＡ１２）がタッチパネル２５に表示される。図４では、「オートカラー」、「フルカラー」、「ブラック」、「２色カラー」、「単色カラー」の５つの選択肢（詳細には当該選択肢にそれぞれ対応するボタンＢＴ１〜ＢＴ５）を有するカラー設定画面が表示されている。なお、図４においては、図示の簡略化のため、タッチパネル２５の周囲を省略しタッチパネル２５の内側のみを示している（図５以降も同様である）。
【００４２】
図４の設定画面ＧＡ１２が表示されている際に操作者が拡大操作（ピンチアウト操作）を行うと、当該拡大操作が所定の基準ＳＤ１を充足するか否かに応じて次のような２種類の動作のいずれかが行われる。ここでは、当該基準（条件）ＳＤ１として、所定の閾値ＴＨ１より大きな拡大表示倍率での拡大指示が拡大操作によって付与されること、が採用されるものとする。
【００４３】
まず、拡大操作が所定の基準ＳＤ１を充足しない場合には、ピンチアウト操作に応じた設定画面ＧＡ１２の部分拡大動作が実行される。具体的には、当該拡大操作による拡大指示で指定された拡大表示倍率が所定の閾値ＴＨ１（たとえば、１３０％）を超えない場合には、図５に示すように、当該ピンチアウト操作における操作位置付近を中心にして図４の設定画面（通常表示モードＭＤ１における表示画面）ＧＡ１２の一部が部分的に拡大される。
【００４４】
一方、当該拡大操作が所定の基準ＳＤ１を充足する場合には、通常表示モードＭＤ１から拡大表示モードＭＤ２への自動モード変更が行われる。具体的には、当該拡大操作による拡大指示で指定された拡大表示倍率が所定の閾値ＴＨ１を超える場合には、タッチパネル２５の表示モードが、通常表示モードＭＤ１から拡大表示モードＭＤ２へと自動的に変更される。なお、拡大表示倍率に関する閾値ＴＨ１は、図８に示すような設定画面を用いて予め設定されているものとする。図８では、閾値ＴＨ１が「１３０％」に設定される様子が示されている。
【００４５】
図６は、拡大表示モードＭＤ２における表示画面（設定画面）ＧＡ２（ＧＡ２２）を示す図である。図６は、拡大表示モードＭＤ２における、カラー設定用のメニュー設定画面（カラー設定画面）ＧＡ２２を示している。
【００４６】
図６のカラー設定画面ＧＡ２２は、図４のカラー設定画面ＧＡ１２と同様に、「オートカラー」、「フルカラー」、「ブラック」、「２色カラー」、「単色カラー」の５つの選択肢（詳細には当該選択肢にそれぞれ対応するボタンＢＤ１〜ＢＤ５）を有する。ただし、図６のカラー設定画面ＧＡ２２は、図４のカラー設定画面ＧＡ１２とは異なる構成を有している。具体的には、カラー設定画面ＧＡ１２は、設定項目選択用の各種ボタンＢＮ１〜ＢＮ７を有しているのに対して、カラー設定画面ＧＡ２２は、これらのボタンＢＮ１〜ＢＮ７を有していない。すなわち、カラー設定画面ＧＡ２２は、カラー設定画面ＧＡ１２よりも少数のボタン（選択肢）を有している。また、カラー設定画面ＧＡ２２における各選択肢は、カラー設定画面ＧＡ１２における各選択肢よりも大きく表示されている。より詳細には、拡大表示モードＭＤ２のカラー設定画面ＧＡ２２（図６）における各選択肢のボタン領域及び文字は、それぞれ、通常表示モードＭＤ１の標準状態（非拡大状態）のカラー設定画面ＧＡ１２（図４）における各選択肢のボタン領域及び文字よりも大きい。拡大表示モードＭＤ２においては、比較的大きな文字および／または比較的大きな選択肢が表示されるので、操作者は見易い設定画面による操作を行うことが可能である。
【００４７】
拡大表示モードＭＤ２は、通常表示モードＭＤ１の画面とは異なる構成を有する画面であって通常表示モードＭＤ１での選択肢よりも大きな（比較的少数の）選択肢を有する画面を表示するモードである、とも表現される。
【００４８】
なお、通常表示モードＭＤ１における表示画面ＧＡ１２以外の表示画面（設定項目選択用のボタンＢＮ１，ＢＮ３〜ＢＮ７のいずれかの押下に応じて表示される設定画面）ＧＡ１１，ＧＡ１３〜ＧＡ１７（不図示）に対しても、それぞれ、拡大表示モードＭＤ２における互いに異なる表示画面ＧＡ２（ＧＡ２１，ＧＡ２３〜ＧＡ２７）（不図示）が予め準備されている。拡大表示モードＭＤ２においては、これらの複数の表示画面ＧＡ２（ＧＡ２１〜ＧＡ２７）等が適宜表示される。
【００４９】
また、拡大表示モードＭＤ２においてピンチイン操作が行われた場合には、上記とは逆向きの動作が実行される。
【００５０】
図７は、画像形成装置１０における上述の動作を示すフローチャートである。図７に示す動作は、微小時間ΔＴ（たとえば、数十ミリ秒）間隔で繰り返し実行される。
【００５１】
ここでは、初期表示モードとして通常表示モードＭＤ１が指定されており、まず通常表示モードＭＤ１で上述の表示画面ＧＡ１２（図４）がタッチパネル２５に表示されているものとする。
【００５２】
その後、ステップＳ１１においてユーザの操作（ここではピンチアウト操作あるいはピンチイン操作）が入力制御部１１等によって受け付けられると、ステップＳ１２において、当該操作によって指定された拡大倍率による表示画面への更新処理が表示制御部１２等によって行われる。
【００５３】
ステップＳ１３においては、タッチパネル２５の表示モードに応じた分岐処理が実行される。当該表示モードが通常表示モードＭＤ１である場合にはステップＳ１４に進み、当該表示モードが拡大表示モードＭＤ２である場合にはステップＳ１６に進む。
【００５４】
ここでは、まず、通常表示モードＭＤ１における表示が行われている旨が判定され、ステップＳ１４に進むものとする。
【００５５】
ステップＳ１４においては、ステップＳ１１でのピンチ操作が所定の基準ＳＤ１を充足しているか否かが判定される。当該ピンチ操作が所定の基準ＳＤ１を充足している場合、具体的には、ステップＳ１１のピンチアウト操作で指定された拡大表示倍率が所定の閾値ＴＨ１（たとえば、１３０％）を超える場合には、ステップＳ１５に進む。なお、ピンチ操作が所定の基準ＳＤ１を充足していない場合には、ステップＳ１５には進まず、一旦本ルーチンを終了する。
【００５６】
ステップＳ１５では、通常表示モードＭＤ１から拡大表示モードＭＤ２への自動モード変更（切換）動作が実行される。具体的には、表示制御部１２およびモード制御部１５は、図４（あるいは図５）に示す通常表示モードＭＤ１のカラー設定画面ＧＡ１２に代えて、図６に示す拡大表示モードＭＤ２のカラー設定画面ＧＡ２２を表示する。
【００５７】
このようにして、通常表示モードＭＤ１での表示中に受け付けられたピンチアウト操作が所定の基準ＳＤ１を充足すると、タッチパネル２５の表示モードが通常表示モードＭＤ１から拡大表示モードＭＤ２に変更される。なお、その後は、拡大表示モードＭＤ２用に予め準備された複数の表示画面を用いて、メニュー画面遷移が行われる。
【００５８】
また逆に、拡大表示モードＭＤ２での表示中に受け付けられたピンチイン操作が所定の基準ＳＤ２を充足すると、タッチパネル２５の表示モードが拡大表示モードＭＤ２から通常表示モードＭＤ１に変更される。ここでは、当該基準（条件）ＳＤ２として、所定の閾値ＴＨ１の逆数に相当する表示倍率未満による縮小表示指示が縮小操作（ピンチイン操作）によって付与されること、が採用されるものとする。
【００５９】
具体的には、拡大表示モードＭＤ２における表示が行われている旨が判定され、ステップＳ１３からステップＳ１６に進む。
【００６０】
そして、ステップＳ１６において、ステップＳ１１でのピンチ操作が所定の基準ＳＤ２を充足しているか否かが判定される。具体的には、ピンチイン操作が所定の基準ＳＤ２を充足している場合、ピンチイン操作で指定された表示倍率が所定の閾値ＴＨ１の逆数に相当する閾値（たとえば、約７７％（＝１００／１３０））より小さい場合には、ステップＳ１７に進む。なお、ピンチ操作が所定の基準ＳＤ２を充足していない場合には、ステップＳ１７には進まず、一旦本ルーチンを終了する。
【００６１】
ステップＳ１７では、拡大表示モードＭＤ２から通常表示モードＭＤ１への自動モード変更動作が実行される。具体的には、図６に示す拡大表示モードＭＤ２のカラー設定画面ＧＡ２２に代えて、図４に示す通常表示モードＭＤ１のカラー設定画面ＧＡ１２が表示される。
【００６２】
このようにして、拡大表示モードＭＤ２から通常表示モードＭＤ１への自動モード変更動作も行われる。
【００６３】
以上のような動作によれば、通常表示モードＭＤ１での表示中に受け付けられた拡大操作（ピンチアウト操作）が所定の基準ＳＤ１を充足すると、タッチパネル２５の表示モードが通常表示モードＭＤ１から拡大表示モードＭＤ２に自動的に変更される（ステップＳ１４，Ｓ１５）。したがって、複数の表示モードＭＤ１，ＭＤ２を良好に使い分けることが可能である。より詳細には、拡大表示モードＭＤ２を有効に（積極的に）活用することが可能である。特に、拡大表示モードの存在を知らなかったユーザ等も、比較的見易い拡大表示モードＭＤ２を有効に（積極的に）活用することが可能である。
【００６４】
ここにおいて、仮に、上記実施形態に係る技術とは異なる技術、具体的には、複数の設定画面のそれぞれでピンチアウト操作を行うことによってのみ各設定画面を拡大する技術（比較例に係る技術とも称する）を想定する。当該比較例に係る技術を利用することによれば、通常表示モードＭＤ１しか知らないユーザも、当該各設定画面を拡大して視認することができる。
【００６５】
しかしながら、複数の設定画面のそれぞれでピンチアウト操作を行うこと（換言すれば、画面遷移が発生する毎にピンチアウト操作を繰り返し行うこと）は、ユーザにとって煩雑である。これに対して、上記実施形態のような動作においては、拡大表示モードＭＤ２への自動モード切換が行われるので、そのような煩雑な操作が回避され得る。
【００６６】
また、比較例に係る技術においては、注視したい部分を所望の大きさに調整することが可能である反面、注視したい部分を所望の大きさに調整することに苦心することもある。たとえば、ピンチアウト操作を何度か繰り返すことを要することもある。また、通常表示モードＭＤ１におけるピンチアウト操作を伴う画面拡大を行う際には、（操作の巧拙等にも依るが）操作ユーザの本来の意図に反して、所望の位置（注視したい位置）とは異なる位置を中心に拡大されてしまうことも有る。このような場合には、操作ユーザは、当該所望の位置を表示対象領域内に移動（スライド移動）させる操作を再度行うことを求められる。一方、上記実施形態のように拡大表示モードＭＤ２を利用することによれば、見易さを優先的に考慮して予め準備された（予め見易く設計された）表示画面がタッチパネル２５に表示されるので、再度の拡大操作および／またはスライド移動操作を要しない。操作ユーザは、拡大表示モードＭＤ２による見易い表示画面（大きく表示された画面）を見ながら、各種の操作を行うことができる。
【００６７】
なお、上記実施形態においては、所定の基準ＳＤ１が充足される旨が判定されると直ちに通常表示モードＭＤ１から拡大表示モードＭＤ２へのモード変更が行われる（ステップＳ１４，Ｓ１５）態様が例示されているが、これに限定されない。たとえば、所定の基準ＳＤ１が充足される旨が判定される（ステップＳ１４）場合において、タッチパネル２５の表示モードが通常表示モードＭＤ１から拡大表示モードＭＤ２に実際に変更される（ステップＳ１５）前に、図９の確認画面ＣＦ（ＣＦ１）が一旦表示されるようにしてもよい。図９の確認画面ＣＦにおいては、「通常表示モードＭＤ１から拡大表示モードＭＤ２への切り換えを行いますか。」の文字列が表示されている。当該確認画面ＣＦは、タッチパネル２５の表示モードを通常表示モードＭＤ１から拡大表示モードＭＤ２に変更する旨を確認する画面である。そして、当該確認画面ＣＦにおける「はい」ボタンが押下されること（変更確認ないし変更承認）を条件として、拡大表示モードＭＤ２へのモード変更動作が実行されるようにしてもよい。また、当該確認画面ＣＦにおける「いいえ」ボタンが押下される場合には、拡大表示モードＭＤ２へのモード変更動作は実行されずそのまま通常表示モードＭＤ１による拡大表示が継続されるようにしてもよい。
【００６８】
同様に、ステップＳ１７の自動モード変更動作の直前において、同様の確認画面ＣＦ（ＣＦ２とも称する）（不図示）が一旦表示されるようにしてもよい。ただし、当該確認画面ＣＦ２においては、図９の確認画面ＣＦ１とは異なり、逆向きのモード変更動作（具体的には、拡大表示モードＭＤ２から通常表示モードＭＤ１への切り換え動作）が確認される。
【００６９】
＜２．第２実施形態＞
第２実施形態は、第１実施形態の変形例である。
【００７０】
第２実施形態においては、表示モードの自動変更動作を実行するか否かをユーザごとに変更する態様が例示される。
【００７１】
第２実施形態においては、表示モードの自動変更動作を実行するか否か（自動モード切換設定を有効にするか無効にするか）が予めユーザごとに設定されているものとする。
【００７２】
図１４は、第２実施形態に係る動作を示すフローチャートである。
【００７３】
図７と比較すると判るように、図１４においては、ステップＳ１４とステップＳ１５との間にステップＳ２１が設けられている。ステップＳ２１では、表示モードの自動変更動作を実行する旨が設定されたユーザ（自動変更動作の許可ユーザとも表現される）がログインしているか否かが判定される。ログイン中のユーザが自動変更動作の許可ユーザであるときには、ステップＳ１５に進む。すなわち、表示モードの自動変更動作を実行する旨が設定されているユーザがログインしているときには、タッチパネル２５の表示モードが通常表示モードＭＤ１から拡大表示モードＭＤ２に自動的に変更される。一方、ログイン中のユーザが自動変更動作の許可ユーザでないとき（表示モードの自動変更動作を実行しない旨が設定されているユーザがログインしているとき）には、ステップＳ１５には進まず、表示モードの自動変更動作（タッチパネル２５の表示モードを通常表示モードＭＤ１から拡大表示モードＭＤ２に自動的に変更する動作）は実行されない。
【００７４】
また、図１４においては、ステップＳ１６とステップＳ１７との間にステップＳ２２が設けられている。ステップＳ２２では、表示モードの自動変更動作を実行する旨が設定されたユーザ（自動変更動作の許可ユーザ）がログインしているか否かかが判定される。ログイン中のユーザが自動変更動作の許可ユーザであるときには、ステップＳ１７に進む。一方、ログイン中のユーザが自動変更動作の許可ユーザでないときには、ステップＳ１７には進まず、表示モードの自動変更動作（タッチパネル２５の表示モードを拡大表示モードＭＤ２から通常表示モードＭＤ１に自動的に変更する動作）は実行されない。
【００７５】
このような態様によっても、第１実施形態等と同様の効果を得ることが可能である。また特に、通常表示モードＭＤ１と拡大表示モードＭＤ２との間の自動モード変更切換の有無をユーザごとに変更することが可能である。したがって、ユーザの意思を尊重することが可能である。たとえば、拡大表示モードの存在を知っているけれども当該拡大表示モードを使いたくないユーザは、自動モード切換設定を無効に設定しておけばよい。換言すれば、当該ユーザは、当該ユーザ自身を自動変更動作の許可ユーザに設定しないようにすればよい。これによれば、当該ユーザは、拡大倍率の変更操作として専らピンチアウト操作を利用することができ、自らの意思に反してピンチアウト操作に応じて拡大表示モードに自動的に変更されることを防止できる。
【００７６】
＜３．第３実施形態＞
第３実施形態は、第１実施形態の変形例である。
【００７７】
第３実施形態においては、表示モードの自動変更動作を実行するか否かを画面ごとに変更する態様が例示される。
【００７８】
第３実施形態においては、表示モードの自動変更動作を実行するか否かが予め画面ごとに設定されているものとする。
【００７９】
図１５は、第３実施形態に係る動作を示すフローチャートである。
【００８０】
図７と比較すると判るように、図１５においては、ステップＳ１４とステップＳ１５との間にステップＳ２３が設けられている。ステップＳ２３では、タッチパネル２５に表示中の画面がモード自動変更動作の対象画面であるか否かが判定される。表示中の画面がモード自動変更動作の対象画面であるときには、ステップＳ１５に進む。すなわち、表示モードの自動変更動作を実行する旨が設定されている画面が表示されているときには、タッチパネル２５の表示モードが通常表示モードＭＤ１から拡大表示モードＭＤ２に自動的に変更される。一方、表示中の画面がモード自動変更動作の対象画面でないとき（表示モードの自動変更動作を実行しない旨が設定されている画面が表示されているとき）には、ステップＳ１５には進まず、表示モードの自動変更動作（タッチパネル２５の表示モードを通常表示モードＭＤ１から拡大表示モードＭＤ２に自動的に変更する動作）は実行されない。
【００８１】
また、図１５においては、ステップＳ１６とステップＳ１７との間にステップＳ２４が設けられている。ステップＳ２４では、表示中の画面が自動変更動作の対象画面であるか否かが判定される。表示中の画面がモード自動変更動作の対象画面であるときには、ステップＳ１７に進む。一方、表示中の画面がモード自動変更動作の対象画面でないときには、ステップＳ１７には進まず、表示モードの自動変更動作（タッチパネル２５の表示モードを拡大表示モードＭＤ２から通常表示モードＭＤ１に自動的に変更する動作）は実行されない。
【００８２】
このような態様によっても、第１実施形態等と同様の効果を得ることが可能である。また特に、通常表示モードＭＤ１と拡大表示モードＭＤ２との間の自動モード変更切換の有無を画面ごとに変更することが可能である。したがって、画面の内容に応じてモード切替を行うか否かを適切に変更することが可能である。
【００８３】
なお、自動変更動作の非対象画面として設定する画面としては、図１６に示すようなプレビュー表示画面ＧＣ１１、あるいは図１７に示すような用紙サイズ設定画面ＧＣ１２等が例示される。たとえば、図１６に示すようなプレビュー表示画面ＧＣ１１で自動モード変換動作が許可されないことによれば、プレビュー表示画面ＧＣ１１内のプレビュー画像ＰＶの部分拡大操作として、ピンチアウト操作を専ら利用することが可能である。あるいは、図１７に示すような用紙サイズ設定画面ＧＣ１２においては、ピンチアウト操作をサイズ指定領域（数字表示領域）ＤＮ１，ＤＮ２等の部分拡大操作として専ら利用することが可能である。
【００８４】
＜４．第４実施形態＞
上記各実施形態においては、通常表示モードＭＤ１における複数の表示画面に対して、それぞれ、拡大表示モードＭＤ２における互いに異なる表示画面が遷移先画面として設けられる態様が例示されている。換言すれば、通常表示モードＭＤ１における表示画面と拡大表示モードＭＤ２における表示画面とが１対１に対応している態様が例示されている。しかしながら、本発明はこれに限定されない。たとえば、通常表示モードＭＤ１における或る１つの表示画面に対して、拡大表示モードＭＤ２における複数の表示画面が対応する画面として設けられても良い。端的に言えば、通常表示モードＭＤ１における表示画面と拡大表示モードＭＤ２における表示画面とが、１対Ｎで対応していてもよい。
【００８５】
第４実施形態では、このような態様について説明する。より詳細には、この第４実施形態においては、通常表示モードＭＤ１における表示画面内のピンチアウト操作の対象位置に応じて、拡大表示モードＭＤ２における複数の表示画面のいずれかに遷移する態様が例示される。
【００８６】
図１８は、通常表示モードＭＤ１における表示画面ＧＤ１を示す図である。ここでは、表示画面ＧＤ１として、ファクシミリ通信等における宛先を指定する宛先指定画面を例示する。表示画面ＧＤ１においては、合計１５個の宛先ＤＳ１〜ＤＳ１５が表示されている。
【００８７】
一方、図１９は、拡大表示モードＭＤ２における表示画面ＧＤ２を示す図である。ここでは、通常表示モードＭＤ１における表示画面ＧＤ１に関して、拡大表示モードＭＤ２における３つの表示画面ＧＤ２（ＧＤ２１，ＧＤ２２，ＧＤ２３）が設けられるものとする。
【００８８】
より具体的には、各表示画面ＧＤ２１，ＧＤ２２，ＧＤ２３は、それぞれ、比較的少数（具体的には、最大６個）の宛先を表示する画面である。詳細には、表示画面ＧＤ２１は、６つの宛先ＤＳ１〜ＤＳ６を表示し、表示画面ＧＤ２２は、６つの宛先ＤＳ７〜ＤＳ１２を表示し、表示画面ＧＤ２３は、残り３つの宛先ＤＳ１３〜ＤＳ１５を表示する。
【００８９】
通常表示モードＭＤ１の表示画面ＧＤ１にてピンチアウト操作が行われる場合において、当該ピンチアウト操作に関する所定の基準ＳＤ１が充足されると、通常表示モードＭＤ１から拡大表示モードＭＤ２へのモード遷移に伴い、拡大表示モードＭＤ２の表示画面ＧＤ２１，ＧＤ２２，ＧＤ２３のいずれかが表示画面ＧＤ１に代えて表示される。
【００９０】
たとえば、ピンチアウト操作によって表示画面ＧＤ１（図１８）の宛先ＤＳ２付近が拡大される場合には、表示画面ＧＤ２１が表示画面ＧＤ１に代えて表示される（図２０の矢印ＡＲ１１も参照）。また、ピンチアウト操作によって表示画面ＧＤ１の宛先ＤＳ９付近が拡大される場合には、表示画面ＧＤ２２が表示画面ＧＤ１に代えて表示される。同様に、ピンチアウト操作によって表示画面ＧＤ１の宛先ＤＳ１５付近が拡大される場合には、表示画面ＧＤ２３が表示画面ＧＤ１に代えて表示される。なお、拡大表示モードＭＤ２においては、不図示のハードウエアカーソルキー（矢印キー）の操作等に応じて、３つの表示画面ＧＤ２１〜ＧＤ２３の相互間の切換動作が行われる。
【００９１】
また、逆向きのモード変更動作も同様に行われる。具体的には、拡大表示モードＭＤ２の表示画面ＧＤ２１，ＧＤ２２，ＧＤ２３のいずれかが表示されている状態にてピンチイン操作が行われ、且つ、当該ピンチイン操作に関する所定の基準ＳＤ２が充足される場合には、通常表示モードＭＤ１の表示画面ＧＤ１が拡大表示モードＭＤ２の表示画面ＧＤ２に代えて表示される（図２０の矢印ＡＲ１２参照）。
【００９２】
このような態様によっても、第１実施形態等と同様の効果を得ることが可能である。なお、ここでは、表示画面ＧＤ１，ＧＤ２として、宛先表示画面を例示したが、これに限定されず、その他の種類の画面（ボックス表示画面等）であってもよい。
【００９３】
＜５．第５実施形態＞
上記第４実施形態においては、通常表示モードＭＤ１における或る１つの表示画面に対して、拡大表示モードＭＤ２における複数の表示画面が遷移先画面として設けられる態様が例示されているが、これに限定されない。たとえば、通常表示モードＭＤ１における複数の表示画面に対して、拡大表示モードＭＤ２における共通の表示画面が設けられるようにしてもよい。端的に言えば、通常表示モードＭＤ１における表示画面と拡大表示モードＭＤ２における表示画面とが、Ｎ対１で対応していてもよい。
【００９４】
第５実施形態では、このような態様について説明する。より詳細には、通常表示モードＭＤ１における複数の表示画面ＧＡ１２，ＧＡ１４〜ＧＡ１７（後述）に対するピンチアウト操作に応じて、拡大表示モードＭＤ２への自動モード変更が行われ、拡大表示モードＭＤ２における共通の表示画面ＧＥ２（図２１）が表示される。
【００９５】
図２１は、拡大表示モードＭＤ２における表示画面ＧＥ２を示す図である。表示画面ＧＥ２は、設定項目「カラー」に関する設定操作のみならず、他の設定項目「倍率」、「用紙」、「両面／ページ集約」、「仕上り」に関する設定操作をも受け付けることが可能な設定画面である。具体的には、各設定項目「カラー」、「倍率」、「用紙」、「両面／ページ集約」、「仕上り」にそれぞれ設けられた各ボタンＢＥ１，ＢＥ２，ＢＥ３，ＢＥ４，ＢＥ５が押下されることによって、各設定項目の設定内容を変更することができる。たとえば、設定項目「カラー」内のボタンＢＥ１の押下に応じて、「オートカラー」、「フルカラー」、「ブラック」、「２色カラー」、「単色カラー」の５つの選択肢のいずれかが選択される。より詳細には、設定項目「カラー」内のボタンＢＥ１が押下されるごとに、複数の選択肢のうちの次順位の選択肢（たとえば、「２色カラー」の次は「単色カラー」）が順次に選択される。また、設定項目「用紙」内のボタンＢＥ３の押下に応じて、具複数の選択肢のいずれかが選択される。より詳細には、設定項目「用紙」内のボタンＢＥ３が押下されるごとに、複数の選択肢のうちの次順位の選択肢（たとえば、「自動」の次は「Ａ４」）が順次に選択される。
【００９６】
この表示画面ＧＥ２は、拡大表示モードＭＤ２において、複数の設定項目を設定する際に用いられる共通の設定画面である。拡大表示モードＭＤ２における表示画面ＧＥ２は、通常表示モードＭＤ１における設定項目「カラー」に対応する設定項目（同レベルの設定項目）のみならず他の設定項目をも含む上位メニュー画面（ないし集約メニュー画面）である、とも表現される。
【００９７】
この第５実施形態においては、通常表示モードＭＤ１における表示画面ＧＡ１２（図４参照）に対するピンチアウト操作に応じて、拡大表示モードＭＤ２への自動モード変更が行われ、拡大表示モードＭＤ２における共通の表示画面ＧＥ２（図２１）が表示される。
【００９８】
また、通常表示モードＭＤ１における他の設定項目に関する設定画面ＧＡ１４（不図示）に対するピンチアウト操作に応じて拡大表示モードＭＤ２への自動モード変更が行われる場合にも、同じ表示画面ＧＥ２が表示される。ここで、設定画面ＧＡ１４は、設定項目「カラー」とは別の設定項目「用紙」に関する詳細設定画面であるものとする。
【００９９】
同様に、通常表示モードＭＤ１における表示画面ＧＡ１５，ＧＡ１６，ＧＡ１７（不図示）に対するピンチアウト操作に応じて拡大表示モードＭＤ２への自動モード変更が行われる場合にも、同じ表示画面ＧＥ２が表示される。ここで、表示画面ＧＡ１５，ＧＡ１６，ＧＡ１７は、それぞれ、「倍率」、「両面／ページ集約」、「仕上り」に関する詳細設定画面である。
【０１００】
このように、通常表示モードＭＤ１における異なる表示画面ＧＡ１２，ＧＡ１４〜ＧＡ１７に対して、拡大表示モードＭＤ２における共通の表示画面ＧＥ２が表示されるようにしてもよい。換言すれば、通常表示モードＭＤ１の各表示画面ＧＡ１２，ＧＡ１４〜ＧＡ１７におけるピンチアウト操作に応じて、拡大表示モードＭＤ２の表示画面として、同一階層ではなく上位階層の表示画面（比較的近いレベルの表示画面）が自動的に表示されるようにしてもよい。
【０１０１】
なお、同様に、通常表示モードＭＤ１における複数の表示画面ＧＡ１１，ＧＡ１３に対するピンチアウト操作に応じて、拡大表示モードＭＤ２への自動モード変更が行われ、拡大表示モードＭＤ２における共通の表示画面ＧＥ２２が表示されるようにしてもよい。
【０１０２】
このような態様によっても、第１実施形態等と同様の効果を得ることが可能である。また特に、拡大表示モードＭＤ２において共通の表示画面を用いることによれば、拡大表示モードＭＤ２において異なる複数の表示画面を用いる場合に比べて、表示画像データ格納用のメモリ領域を抑制することが可能である。すなわち、画像形成装置におけるメモリ領域を有効に活用することが可能である。そして、そのような画像形成装置において、上記のような自動モード変更動作が実行されることによって、拡大表示モードを積極的に活用することが可能である。
【０１０３】
＜６．第６実施形態＞
上記各実施形態においては、拡大操作（ピンチアウト操作）に応じて、通常表示モードＭＤ１から拡大表示モードＭＤ２に自動モード変更が行われる態様が例示されているが、本発明はこれに限定されない。たとえば、拡大操作（ピンチアウト操作）に応じて、縮小表示モードＭＤ０から通常表示モードＭＤ１へと自動モード変更が行われるようにしてもよい。この第６実施形態においては、このような態様について説明する。
【０１０４】
縮小表示モードＭＤ０は、通常表示モードＭＤ１とは異なる構成を有する画面を表示する表示モードであり、通常表示モードＭＤ１よりも多数の選択肢を有する画面を表示する表示モードである。縮小表示モードＭＤ０においては、１つの画面において多数の設定項目に関する設定操作を一括的に行うことが可能である。縮小表示モードＭＤ０は、一括設定モードとも表現される。また、縮小表示モードＭＤ０は、通常表示モードＭＤ１の選択肢よりも小さな選択肢を有する画面を表示するモードであるとも表現される。
【０１０５】
図２２は、縮小表示モード（一括設定モード）ＭＤ０における設定画面ＧＤ０を示す図である。図２２の設定画面ＧＤ０は、「カラー」、「濃度」、「用紙」、「倍率」、「濃度」、「両面／ページ集約」等の比較的多数の設定項目に関する設定を一括的に行うことが可能な画面である。より詳細には、設定画面ＧＤ０においては、複数の設定項目に関して、それぞれ、複数の選択肢が表示されている。操作者は、設定項目ごとに複数の選択肢の中から所望の選択肢を選択する操作を、設定画面ＧＤ０内の複数の選択項目について繰り返す。これにより、縮小表示モードＭＤ０においては、複数の選択項目に関する設定操作を比較的少数（ここでは単一）の設定画面ＧＤ０を用いて行うことが可能である。
【０１０６】
この第６実施形態においては、初期状態において縮小表示モードＭＤ０の表示画面ＧＤ０がタッチパネル２５に表示されているものとする。操作者は、ピンチアウト操作によって表示画面ＧＤ０の拡大操作を行うことが可能である。
【０１０７】
そして、所定の基準ＳＤ１を充足するような拡大操作が行われると、縮小表示モードＭＤ０から通常表示モードＭＤ１への自動モード変更が行われる（図２３参照の矢印ＡＲ１３参照）。具体的には、縮小表示モードＭＤ０においてピンチアウト操作が行われる場合において、当該ピンチアウト操作に関する所定の基準ＳＤ１が充足されると、通常表示モードＭＤ１の表示画面ＧＡ１（ＧＡ１０）（図３参照）が縮小表示モードＭＤ０の表示画面ＧＤ０（図２２）に代えて表示される。以後、通常表示モードＭＤ１において各種設定画面に関する画面遷移が行われる。
【０１０８】
これによれば、基準ＳＤ１を充足するような拡大操作に応じて、比較的見易い通常表示モードＭＤ１の操作画面が自動的に表示され、当該操作画面を用いた操作を容易に行うことが可能である。
【０１０９】
また、逆に通常表示モードＭＤ１においてピンチイン操作が行われ当該ピンチイン操作に関する所定の基準ＳＤ２が充足されると、縮小表示モードＭＤ０の表示画面ＧＤ０（図２２）が通常表示モードＭＤ１の表示画面ＧＡ１（ＧＡ１０）に代えて表示される（図２３の矢印ＡＲ１４も参照）。
【０１１０】
以上のような動作によれば、縮小表示モードＭＤ０での表示中に受け付けられた拡大操作（ピンチアウト操作）が所定の基準ＳＤ１を充足すると、タッチパネル２５の表示モードが縮小表示モードＭＤ０から通常表示モードＭＤ１に自動的に変更される。したがって、複数の表示モードＭＤ０，ＭＤ１を良好に使い分けることが可能である。より詳細には、比較的選択肢を有するモードＭＤ０から、比較的大きな選択肢を有するモードＭＤ１に自動的に遷移して、比較的大きな選択肢を用いた操作を容易に行うことが可能である。
【０１１１】
また逆に、通常表示モードＭＤ１での表示中に受け付けられた縮小操作（ピンチイン操作）が所定の基準ＳＤ２を充足すると、タッチパネル２５の表示モードが通常表示モードＭＤ１から縮小表示モードＭＤ０に自動的に変更される。したがって、複数の表示モードＭＤ０，ＭＤ１を良好に使い分けることが可能である。より詳細には、縮小表示モードＭＤ０を有効に（積極的に）活用することが可能である。特に、縮小表示モードＭＤ０の存在を知らなかったユーザ等も、各種設定の一括指定操作に有用な縮小表示モードＭＤ０を有効に（積極的に）活用することが可能である。
【０１１２】
＜７．変形例等＞
以上、この発明の実施の形態について説明したが、この発明は上記説明した内容のものに限定されるものではない。
【０１１３】
たとえば、上記各実施形態においては、操作者による拡大操作として、タッチパネル２５におけるピンチアウト操作が例示されているが、これに限定されない。たとえば、操作者による拡大操作は、画像形成装置１０の操作部６に設けられた表示倍率増大キー（ハードウエアキー）（不図示）の押下操作などによって行われてもよい。
【０１１４】
同様に、操作者による縮小操作として、タッチパネル２５におけるピンチイン操作が例示されているが、これに限定されない。たとえば、操作者による縮小操作は、操作部６に設けられた表示倍率低減キー（ハードウエアキー）（不図示）の押下操作などであってもよい。
【０１１５】
また、上記各実施形態においては、モード自動変更を行うか否か（詳細には、基準ＳＤ１が充足されるか否か）が、拡大操作後の拡大表示倍率自体に応じて決定される場合が例示されている。より詳細には、モード自動変更を行うか否かに関する閾値ＴＨ１が、拡大表示倍率自体で指定される場合が例示されている。しかしながら、本発明は、これに限定されない。
【０１１６】
たとえば、モード自動変更を行うか否かが、拡大操作前後の操作キー（操作ボタン）の表示比率に応じて決定されるようにしてもよい。より詳細には、モード自動変更に関する閾値（拡大表示倍率の閾値）が、拡大操作後の画面内のキー表示面積と基準画面内のキー表示面積との比率で指定されるようにしてもよい。そして、当該閾値よりも大きな表示倍率による表示指示が付与された場合に、基準ＳＤ１を充足する旨が判定され、通常表示モードＭＤ１から拡大表示モードＭＤ２へのモード変更動作が行われるようにしてもよい。
【０１１７】
あるいは、モード自動変更に関する閾値（拡大表示倍率の閾値）は、拡大操作後の画面内のキー表示個数と基準画面内のキー表示個数との比率（たとえば、「８０％」）で示されるものであってもよい。そして、キー表示個数比率が当該閾値以下になることを条件として、所定の基準ＳＤ１を充足する拡大指示（一定程度以上の拡大指示）が拡大操作によって付与されていると判定され、通常表示モードＭＤ１から拡大表示モードＭＤ２への上述のようなモード変更動作が行われるようにしてもよい。以下、図１１等を参照しながら詳細に説明する。
【０１１８】
図１１においては、拡大操作前の画面（基準画面）ＧＢ１１を示している。当該画面ＧＢ１１においては、１１個の操作キー（操作ボタン）ＢＣ１〜ＢＣ１１が表示されている。拡大操作（ピンチアウト操作）によって、当該画面ＧＢ１１のうち破線領域（破線で囲まれる領域）ＤＲが拡大操作後の画面ＧＢ１２としてタッチパネル２５の全体に拡大表示されるものとする。拡大操作後の画面ＧＢ１２には、６個の操作キーＢＣ１〜ＢＣ６が表示される。
【０１１９】
図１１に示されるように、拡大操作前の画面（基準画面）ＧＢ１１内のキー表示個数が１１個であり、拡大操作後の画面ＧＢ１２内のキー表示個数が６個である場合には、拡大操作前後のキー表示個数比率は、約５５％（＝６／１１）であり、閾値「８０％」よりも小さい。換言すれば、閾値に対応する表示状態よりも少ない数のキーを画面全体で表示することになり、拡大操作後の実質的な拡大表示倍率は、キー表示個数比率に関する閾値（「８０％」）に対応する拡大表示倍率よりも大きい。この場合に、所定の閾値より大きな拡大表示倍率による拡大指示が拡大操作によって付与されていると判定され、通常表示モードＭＤ１から拡大表示モードＭＤ２への上述のようなモード自動変更が行われるようにしてもよい。なお、拡大操作前後のキー表示個数比率に関する閾値（「８０％」等）は、たとえば、図１０に示すような設定画面において予め設定されればよい。
【０１２０】
また、上記各実施形態においては、所定の閾値より大きな拡大表示倍率の拡大指示が拡大操作によって付与される旨の基準が充足される場合に、モード自動変更が行われる態様が例示されている。換言すれば、拡大表示倍率に関する指標値に基づきモード自動変更を行うか否かが判定される態様が例示されている。しかしながら、本発明は、これに限定されない。
【０１２１】
たとえば、所定の閾値ＴＨ２より多い回数の拡大指示が拡大操作によって付与される旨の基準ＳＤ１が充足される場合に、通常表示モードＭＤ１から拡大表示モードＭＤ２への上述のようなモード自動変更が行われるようにしてもよい。
【０１２２】
より詳細には、拡大指示の回数が閾値ＴＨ２以上であることを条件として、所定の基準ＳＤ１を充足する拡大指示（一定程度以上の拡大指示）が拡大操作によって付与されていると判定され、通常表示モードＭＤ１から拡大表示モードＭＤ２への上述のようなモード自動変更が行われればよい。なお、拡大指示回数に関する閾値（「５回」等）は、たとえば、図１２に示すような設定画面において予め設定されればよい。
【０１２３】
また、当該拡大指示の回数は、ログイン中のユーザに依拠することなく積算されてもよいが、ログイン中のユーザごとに積算されてもよい。あるいは、当該拡大指示の回数は、画面に依拠することなく積算されてもよいが、画面ごとに積算されてもよい。
【０１２４】
あるいは、所定の閾値より多い種類数の画面における拡大指示が拡大操作によって付与される旨の基準が充足される場合に、通常表示モードＭＤ１から拡大表示モードＭＤ２への上述のようなモード自動変更が行われるようにしてもよい。
【０１２５】
より詳細には、拡大指示が付与された画面種類数が閾値ＴＨ３以上であることを条件として、所定の基準を充足する拡大指示（一定程度以上の拡大指示）が拡大操作によって付与されていると判定され、通常表示モードＭＤ１から拡大表示モードＭＤ２への上述のようなモード自動変更が行われるようにしてもよい。なお、当該画面種類の回数は、ユーザに無関係に積算されてもよく、あるいは、ログイン中のユーザごとに積算されてもよい。
【０１２６】
また、拡大操作直後のスライド移動量が所定の閾値以上であることを条件として、所定の基準ＳＤ１が充足される旨が判定されるようにしてもよい。通常表示モードＭＤ１において、操作者がピンチアウト操作を行う際において、所望の位置から大きくずれた部分が拡大される場合には、ピンチアウト操作直後において比較的大きくスライド移動させる操作（フリック操作等による上下左右方向への移動操作）を更に伴うことが多い。このような比較的大きなスライド移動操作を伴う場合には、操作者が煩わしさを感じている可能性が高い。そこで、比較的大きなスライド移動操作（閾値（たとえば２００画素相当）より大きなスライド操作）がピンチアウト操作直後に引き続いて行われる場合には、上記と同様に、通常表示モードＭＤ１から拡大表示モードＭＤ２への自動モード変更動作が行われるようにしてもよい。なお、スライド移動操作に関する閾値（「２００」画素等）は、たとえば、図１３に示すような設定画面において予め設定されればよい。
【０１２７】
なお、基準ＳＤ２に関しても、上記と同様の各種の改変を行うことが可能である。
【符号の説明】
【０１２８】
１０  ＭＦＰ(画像形成装置)
２５  タッチパネル
ＣＦ  確認画面
ＧＡ１  （通常表示モードＭＤ１における）表示画面
ＧＡ２  （拡大表示モードＭＤ２における）表示画面
ＧＤ０  （縮小表示モードＭＤ０における）表示画面
ＭＤ０  縮小表示モード（一括設定モード）
ＭＤ１  通常表示モード
ＭＤ２  拡大表示モード
【図１】
2014232474.tif 000003
【図２】
2014232474.tif 000004
【図３】
2014232474.tif 000005
【図４】
2014232474.tif 000006
【図５】
2014232474.tif 000007
【図６】
2014232474.tif 000008
【図７】
2014232474.tif 000009
【図８】
2014232474.tif 000010
【図９】
2014232474.tif 000011
【図１０】
2014232474.tif 000012
【図１１】
2014232474.tif 000013
【図１２】
2014232474.tif 000014
【図１３】
2014232474.tif 000015
【図１４】
2014232474.tif 000016
【図１５】
2014232474.tif 000017
【図１６】
2014232474.tif 000018
【図１７】
2014232474.tif 000019
【図１８】
2014232474.tif 000020
【図１９】
2014232474.tif 000021
【図２０】
2014232474.tif 000022
【図２１】
2014232474.tif 000023
【図２２】
2014232474.tif 000024
【図２３】
2014232474.tif 000025